(57)【要約】      （修正有）【課題】故人の生前の人柄などを偲ぶに足りるだけの故人に関する詳細な記事を記載することができ、法要（年忌）時期を一目で知ることができるのみならず、わが家の歴史の記録として、現在の自分が先祖からのどのような流れの中に存在するのかをも知得でき、自分のルーツを知りえる過去帳を提供する。【解決手段】本考案の過去帳は、先祖の記録欄を構成する家誌葉１と、一葉内に故人の記録欄を構成する複数の個人別葉２と、縦軸の西暦及び和暦欄と横軸の個人名欄で表を構成した複数の年回年度表葉３とから成る。各葉は、横長長尺の和紙４を、定間隔で山折り４１と谷折り４２を繰り返して積層体とした。【選択図】図４
0003135984.tif 000002
【実用新案登録請求の範囲】
【請求項１】
先祖の記録欄を構成する家誌葉と、一葉内に故人の記録欄を構成する複数の個人別葉と、縦軸の西暦及び和暦欄と横軸の個人名欄で表を構成した複数の年回年度表葉とを重ねて積層体としたことを特徴とする過去帳。
【請求項２】
先祖の記録欄が家名欄、初代名欄、家紋欄、宗教欄及び菩提寺欄で構成されていることを特徴とする請求項１記載の過去帳。
【請求項３】
先祖の記録欄に家訓欄が設けられてなる請求項２記載の過去帳。
【請求項４】
故人の記録欄が法号欄、寂年月日欄、俗名欄、生年月日欄、家累代欄及び埋葬地欄で構成されていることを特徴とする請求項１、２又は３記載の過去帳。
【請求項５】
故人の記録欄に故人の両親と兄弟姉妹欄、故人の家族欄及びその他特記欄が設けられてなる請求項４記載の過去帳。
【請求項６】
年回年度表葉の縦軸の西暦及び和暦欄が５０年間分を表示してなる請求項１乃至５のいずれかに記載の過去帳。
【請求項７】
横長長尺の和紙を、定間隔で山折りと谷折りを交互に繰り返して折本状の積層体としたことを特徴とする請求項１乃至６のいずれかに記載の過去帳。
【請求項８】
板状体の表裏の表紙を設けた請求項７記載の過去帳。
【請求項９】
最終の故人別葉と最初の年回年度表葉の折り目線上を切断した分割部に、両端部に糊代部を延設した二葉の連続した故人別葉を、その糊代部と前記分割部端に接着剤を介在させて接着して挿設し、この挿設した故人別葉間と糊代部間に必要な山又は谷の折り目を設けたことを特徴とする請求項７又は８記載の過去帳。
【請求項１０】
年回年度表葉の最終葉に、右端部に糊代部を延設した年回年度表を、その糊代部に接着剤を介在させて年回年度表葉の最終葉に接着して加設し、この加設した年回年度表葉の糊代部に必要な山又は谷の折り目を設けたことを特徴とする請求項７乃至９のいずれかに記載の過去帳。
【考案の詳細な説明】
【技術分野】
【０００１】
本考案は過去帳に関し、詳しくは、先祖や家族の故人の法号、俗名、寂年月日などを記録し、家の歴史を伝え、法要（年忌）時期などの管理をするためにも用いられる一般家庭向きの過去帳に関するものである。
【背景技術】
【０００２】
寺院においては、その檀家や信徒の故人の記録を残すため、故人の法号や寂年月日を書き記した過去帳が存在し、鬼籍、霊簿あるいは冥帳などとも呼ばれて古くから用いられている。
このような寺院で作成されるものを除いて、一般家庭では法号（戒名）や寂年月日などを記したものを個人的に保存する程度であった。
【０００３】
しかし、近年になって、葬儀社等のサービスの一環として、施主や埋葬に関する記事をあわせて記載できるものもあるようであり、これらは単に各故人の記録を留めるためにのみ用いられるものである。
したがって、その故人の法要（年忌）時期などの管理をするに適し、付随して記載できる故人の社会的地位や家族構成を把握したり、その人柄を偲ぶことには見るべきものがある。
【０００４】
例えば実開平０５−２９８１は、故人の生前の人柄などを偲ぶに足りるだけの故人に関する詳細な記事を記載することができ、かつ、法要（年忌）時期を一目で知ることができ、寺院のみならず一般家庭においても好適に用いられうる過去帳を提供することを目的としている。
【考案の開示】
【考案が解決しようとする課題】
【０００５】
上記の状況に鑑み本考案は、故人の生前の人柄などを偲ぶに足りるだけの故人に関する詳細な記事を記載することができ、法要（年忌）時期を一目で知ることができるのみならず、わが家の歴史の記録として、現在の自分が先祖からのどのような歴史の中に存在するのかをも知得でき、自分のルーツを知り得る過去帳を提供せんとするものである。
【課題を解決するための手段】
【０００６】
請求項１の考案の過去帳は、先祖の記録欄を構成する家誌葉と、一葉内に故人の記録欄を構成する複数の個人別葉と、縦軸の西暦及び和暦欄と横軸の個人名欄で表を構成した複数の年回年度表葉とを重ねて積層体としたことを特徴とするものである。
【０００７】
請求項２の考案の過去帳は、先祖の記録欄が家名欄、初代名欄、家紋欄、宗教欄及び菩提寺欄で構成されていること、請求項３の考案の過去帳は、更に先祖の記録欄に家訓欄が設けられてなることを特徴とするものである。
【０００８】
請求項４の考案の過去帳は、故人の記録欄が法号欄、寂年月日欄、俗名欄、生年月日欄、家累代欄及び埋葬地欄で構成されていることを特徴とし、請求項５の過去帳は、更に故人の記録欄に故人の両親と兄弟姉妹欄、故人の家族欄及びその他特記欄が設けられてなることを特徴とするものである。
【０００９】
また、請求項６の考案の過去帳は、年回年度表葉の縦軸の西暦及び和暦欄が５０年間分を表示してなることを特徴とするものである。
【００１０】
そして、請求項７の考案の過去帳は、横長長尺の和紙を、定間隔で山折りと谷折りを繰り返して折本状の積層体としたことを特徴とするものであり、請求項８の考案の過去帳は、板状体の表裏の表紙を設けたことを特徴とするものである。
【００１１】
また、請求項９の考案は、最終の故人別葉と最初の年回年度表葉の折り目線上を切断した分割部に、両端部に糊代部を延設した二葉の連続した故人別葉を、その糊代部と前記分割部端に接着剤を介在させて接着して挿設し、この挿設した故人別葉間と糊代部間に必要な山又は谷の折り目を設けたことを特徴とするものである。
【００１２】
そして、請求項１０の考案は、年回年度表葉の最終葉に、右端部に糊代部を延設した年回年度表を、その糊代部に接着剤を介在させて年回年度表葉の最終葉に接着して加設し、この加設した年回年度表葉の糊代部に必要な山又は谷の折り目を設けたことを特徴とするものである。
【考案の効果】
【００１３】
本考案に関る過去帳を用いれば、先祖を記録する家誌葉があるため、家系の初代や家紋、菩提寺を知り子孫に伝えることができる効果がある。
そして、個人別葉により、家系に連なる各故人の法号、寂年月日、俗名、生年月日、家累代及び埋葬地欄生誕地や、家族に加えて両親や兄弟姉妹の氏名などのほか、生前の趣味や社会的地位など故人に関する詳細な記事を記載することができるとともに、故人の係累が明確に把握できるため、生前の故人と全く面識のない人であっても故人を偲ぶことができる効果を有する。
【００１４】
また、年回年度表葉により、各故人のめぐって来る法要（年忌）の時期を一覧表に表示してあるため、西暦年（和暦）を基準に見ればその年に必要な法要を一目で確認して知得することができ、５０年単位での一欄表は感覚的に視易く計画を立て易くする効果がある。
【００１５】
さらに、各葉を重ねて積層体としてあるため、保存が容易であると共に各故人の記録が散逸せず、纏まった形態で子孫へ受け継いでいける効果を有するものであり、その扱いにも注意を払うようになる効果も期待できるのである。
【００１６】
本考案の過去帳は、横長長尺の和紙を、定間隔で山折りと谷折りを繰り返して積層体としたものであるから、各葉が分離せず保存性が高まると共に、書物のように捲って葉を進めても良く、複数の葉を横方向へ一面に開いた状態でも看取できる効果があり、更に、和紙に一面側のみに記載欄が設けられるため複数葉の文字が写ることも無く、重厚性のあるものとなる効果を発揮する。
【００１７】
故人別葉や年回年度表葉は糊代を形成して容易に追加補充できるものであり、中間部でも和紙であるから切断は容易で挿入できる効果があり、中間部となる故人別葉は二葉を一組として挿入することにより、前後の折り返しを変更することなく挿入できる効果を有するのである。
【考案を実施するための最良の形態】
【００１８】
以下、図面に示した実施例に基づき本考案の過去帳を説明する。
図１は、本考案の一実施の形態を示す家誌葉１の表面図であり、図２は、同じく故人別葉２の表面図、図３は同じく年回年度表葉３の表面図である。
【００１９】
家誌葉１は、輪郭に沿った矩形の縦・横の枠線Ａ及びＢにより外郭が定められ、外郭内を左右に縦線Ｃで六分割し、先祖の記録欄として、右側から家名欄１０、初代名欄１１、家紋欄１２、家訓欄１３、宗教１４及び菩提寺欄１５が設けられ、初代名欄１１、家紋欄１２、家訓欄１３、宗教１４及び菩提寺欄１５の上部に横線Ｄで区分けして該当表題が表示してあり、更に菩提寺欄１５は上下に寺名欄と住所欄に補助横線Ｅで分割されている。
【００２０】
故人別葉２は、輪郭に沿った矩形の縦・横の枠線Ａ及びＢにより外郭が定められ、外郭内を上下に横線Ｄで三分割し、故人の記録欄として、上二段を使って右側から法号欄２１、次の左側の上・中段に俗名欄２２と家累代欄２３、続いて左側上・中段に生年月日欄２４と埋葬地欄２５が設けられ、更に上二段の左側半分を家族欄として上段に故人の婚前の家族欄２６、中段に故人の家族欄２７を設けたものである。
そして、下段には右側から法号欄２１の下に寂年月日欄２８、次にその他特記欄２９を設けたものである。
【００２１】
俗名欄２２には愛称等も加えて記載しても良く、家累代欄２３には家系名とその累代数及び配偶者名とその関係等を記載し、生年月日欄２４には生誕地の住所も記載して良く、埋葬地欄２５にはその住所及び施設名称を記載するものである。
故人の婚前の家族欄２６は両親の氏名欄と、補助横線Ｅで分割した本人欄を含む兄弟姉妹の名前欄で構成し、故人の家族欄２７は本人欄を含む配偶者の氏名欄と、補助横線Ｅで分割した子供の名前欄で構成している。
家族欄２６に記載された家族で、嫁ぎ先や養子先の家名・住所及びその年月日等の記録も空欄を利用して記しておくのもよい。
【００２２】
寂年月日欄２８には行年を共に記載するようにするのが好ましく、その他特記欄２９には学歴や親友名、或いは座右の銘や趣味、更には職業や表彰歴等を自由に記載できるものであり、補助縦線Ｆで区分して故人の特記事項の表題を記載しておいてもよい。
【００２３】
年回年度表葉３は、輪郭に沿った矩形の縦・横の枠線Ａ及びＢにより外郭が定められ、外郭内を定間隔で縦線Ｃが設けられ、右端の表題欄３１を除いて、左側には、暦欄３２又は俗名表示欄３３を上部に形成すると共に、その下に５０年間分の年度欄３４を形成する横線Ｄが定間隔で設けられている。
年回年度表葉３の二葉目以降は、表題欄３１を省略して、暦欄３２と俗名表示欄３３だけを形成しても良い。
【００２４】
表題欄３１には「わが家の年回年度表」と書し、表題欄３１に隣接した左側の暦欄３２は西暦欄３２Ａと和暦欄３２Ｂの二つの欄を設けて併用し、西暦欄には西暦年数字を、和暦欄には元号とその年数字を記載するものであり、元号が変わった場合にも西暦で数えた表記を年度欄３４にしておけば自然と一致するものとなる。
【００２５】
次に、年度欄３４には、各故人の一周忌から五十回忌までの各年度を該当西暦欄の記載年度と一致する欄に記載するものであり、各故人の回忌に該当しない欄は空白となっている。
そこで、各故人の回忌と関係の無いこの空欄を利用して、生まれ年、学校の入卒業年、成人年や結婚年等に該当する年の欄にその旨を記載し、生前の記録として利用することもでき、更に、愛玩動物の存在も記録しておくことも良い。
【００２６】
図４は本考案の過去帳の各葉の連続状態を示す平面図であり、横長長尺の和紙４を、定間隔で山折り４１と谷折り４２を繰り返して積層体４４に構成するものである。
即ち、山折り４１と谷折り４２を繰り返した同一面に、家誌葉１、故人別葉２、年回年度表葉３を形成していくのであり、右端に形成される最初の葉を家誌葉１とし、次葉の複数葉を故人別葉２、２、２・・・とし、更に続いて複数葉の年回年度表葉３、３、３に当て、夫々の欄を形成したものである。
【００２７】
図５は折り畳んで各葉を積層体４４とした状態としたものである。
また、図６は、積層体４４とした過去帳に表裏に表紙６を設けたものであり、表紙の裏紙５との間に一枚目葉及び最終葉に延設した糊代部４３を挿入して一体に糊付けしたものである。
表紙６の材質は任意に選択でき、高級感があり品格の良いものが好ましく、また、その表面に装飾を施して家の大事な記録に相応しいものとすることが望まれる。
【００２８】
図７は、故人別葉２の補充手段を示すものであり、最終の故人別葉２と最初の年回年度表葉３の折り目線上を切断した分割部７に、両端部に糊代部２Ｂ、２Ｂを延設した二葉の連続した故人別葉２Ａ、２Ａを、その糊代部２Ｂ、２Ｂと前記分割部７の裏面端部と接着剤８を介在させて接着して挿設したものである。
この挿設した故人別葉２Ａと糊代部２Ｂ間に山折り４１を形成し、故人別葉２Ａ、２Ａ間には谷折り４２を形成して分割以前の積層体４４の折り目との整合を図っている。
【００２９】
図８は、年回年度表葉３Ａの補充手段を示すものであり、年回年度表葉の最終葉３に、右端部に糊代部３Ｂを延設した年回年度表３Ａを、その糊代部３Ｂに接着剤８を介在させて年回年度表葉の最終葉３の裏面端部と接着して加設したものである。
この加設した年回年度表葉３Ａと糊代部３Ｂ間に谷折り４２を形成したものである。
【図面の簡単な説明】
【００３０】
【図１】本考案の一実施の形態を示す家誌葉の表面図である。
【図２】本考案の一実施の形態を示す故人別葉の表面図である。
【図３】本考案の一実施の形態を示す年回年度表葉の表面図である。
【図４】本考案の過去帳の各葉の連続状態を示す平面図である。
【図５】過去帳を折り畳んで積層体とした状態の斜視図である。
【図６】積層体とした過去帳に表紙を設けた要部平面図である。
【図７】故人別葉の補充手段を示す表面図である。
【図８】年回年度表葉の補充手段を示す表面図である。
【符号の説明】
【００３１】
１        家誌葉
２、２Ａ  故人別葉
３、３Ａ  年回年度表葉
４        和紙
４１        山折り
４２        谷折り
４４        積層体
６        表紙
【図１】
0003135984.tif 000003
【図２】
0003135984.tif 000004
【図３】
0003135984.tif 000005
【図４】
0003135984.tif 000006
【図５】
0003135984.tif 000007
【図６】
0003135984.tif 000008
【図７】
0003135984.tif 000009
【図８】
0003135984.tif 000010